(57)【特許請求の範囲】
【請求項１】
システム情報受信方法であって、
ユーザ装置が、基地局から第２の指示情報及び／又は第３の指示情報の修正周期を指示するための第１の指示情報を含む最小システム情報を受信するステップと、
前記ユーザ装置は、前記修正周期に基づいて目標のその他システム情報が伝送されている状態にあることが確定された場合、前記目標のその他システム情報が伝送されることに対応するタイムウィンドウにおいて、前記目標のその他システム情報を受信するステップと、を含み、
前記第２の指示情報は、その他システム情報におけるオンデマンドの方式で伝送される前記目標のその他システム情報が伝送されている状態にあるか否かを指示するためのものであり、
前記第３の指示情報は前記目標の他のシステム情報の伝送方式を指示するためのものであることを特徴とするシステム情報受信方法。
【請求項２】
前記ユーザ装置は、前記第１の目標のその他システム情報を再びに取得するための第２の要求を前記基地局に伝送した前に、前記基地局が第１の要求に基づいて伝送した確認情報が受信されたか否かを確定するステップと、
前記ユーザ装置は、前記確認情報が受信された場合、前記第２の要求を前記基地局に伝送するステップと、をさらに含むことを特徴とする請求項１に記載のシステム情報受信方法。 
【請求項３】
前記ユーザ装置は、前記目標のその他システム情報を取得するための要求を前記基地局に伝送した後、前記目標のその他システム情報が伝送されることに対応するタイムウィンドウにおいて前記目標のその他システム情報が受信された前に、最近に受信された最小システム情報における第２の指示情報に基づき、前記目標のその他システム情報が伝送されることに対応する最近のタイムウィンドウにおいて、前記目標のその他システム情報が伝送されている状態にあるか否かを確定するステップと、
伝送されている状態にある場合、前記ユーザ装置は、前記目標のその他システム情報が伝送されることに対応するタイムウィンドウにおいて、前記目標のその他システム情報を受信するステップと、
伝送されていない状態にある場合、前記ユーザ装置は、前記目標のその他システム情報が伝送されることに対応するタイムウィンドウにおいて、前記目標のその他システム情報の受信を停止するステップと、をさらに含むことを特徴とする請求項１に記載のシステム情報受信方法。
【請求項４】
前記ユーザ装置は、前記目標のその他システム情報が伝送されることに対応するタイムウィンドウにおける予め設定された期間内に、前記目標のその他システム情報を受信できるか否かを確定するステップと、
受信できない場合、前記ユーザ装置は、前記目標のその他システム情報が伝送されることに対応するタイムウィンドウにおいて、前記目標のその他システム情報の受信を停止するステップと、をさらに含むことを特徴とする請求項１に記載のシステム情報受信方法。
【請求項５】
前記ユーザ装置は、ページング情報に基づいて第２の指示情報及び／又は第３の指示情報が変化されたかどうかを確定することではなく、前記最小システム情報をモニタリングすることによって、最新の第２の指示情報及び／又は第３の指示情報をリアルタイムで受信するステップを、さらに含むことを特徴とする請求項１〜４のいずれか１項に記載のシステム情報受信方法。 
【請求項６】
システム情報受信装置であって、
基地局から第２の指示情報及び／又は第３の指示情報の修正周期を指示するための第１の指示情報を含む最小システム情報を受信するように構成される第１の受信モジュールと、
前記修正周期に基づいて目標のその他システム情報が伝送されている状態にあることが確定された場合、前記目標のその他システム情報が伝送されることに対応するタイムウィンドウにおいて、前記目標のその他システム情報を受信するように構成される第２の受信モジュールと、を備え、
前記第２の指示情報は、その他システム情報におけるオンデマンドの方式で伝送される前記目標のその他システム情報が伝送されている状態にあるか否かを指示するためのものであり、
前記第３の指示情報は、前記目標のその他システム情報の伝送方式を指示するためのものであることを特徴とするシステム情報受信装置。
【請求項７】
前記第１の目標のその他システム情報を再びに取得するための第２の要求を前記基地局に伝送する前に、前記基地局が第１の要求に基づいて伝送した確認情報が受信されたか否かを確定するように構成される第１の確定モジュールと、
前記確認情報が受信された場合、前記第２の要求を前記基地局に伝送するように構成される伝送モジュールと、をさらに備えることを特徴とする請求項６に記載のシステム情報受信装置。
【請求項８】
前記目標のその他システム情報を取得するための要求を前記基地局に伝送した後、前記目標のその他システム情報が伝送されることに対応するタイムウィンドウにおいて前記目標のその他システム情報が受信される前に、最近に受信された最小システム情報における第２の指示情報に基づき、前記目標のその他システム情報が伝送されることに対応する最近のタイムウィンドウにおいて、前記目標のその他システム情報が伝送されている状態にあるか否かを確定するように構成される第２の確定モジュールを、さらに備え、
前記第２の受信モジュールは、
前記目標のその他システム情報が伝送されることに対応する最近のタイムウィンドウにおいて、前記目標のその他システム情報が伝送されている状態にある場合、前記目標のその他システム情報が伝送されることに対応するタイムウィンドウにおいて、前記目標のその他システム情報を受信するように構成される第１の受信サブモジュールと、
前記目標のその他システム情報が伝送されることに対応する最近のタイムウィンドウにおいて、前記目標のその他システム情報が伝送されていない状態にある場合、前記目標のその他システム情報が伝送されることに対応するタイムウィンドウにおいて、前記目標のその他システム情報の受信を停止するように構成される第２の受信サブモジュールと、を備えることを特徴とする請求項６に記載のシステム情報受信装置。
【請求項９】
前記目標のその他システム情報が伝送されることに対応するタイムウィンドウにおける予め設定された期間内に、前記目標のその他システム情報が受信できるか否かを確定するように構成される第３の確定モジュールと、
前記目標のその他システム情報が伝送されることに対応するタイムウィンドウにおける予め設定された期間内に、前記目標のその他システム情報が受信できない場合、前記目標のその他システム情報が伝送されることに対応するタイムウィンドウにおいて、前記目標のその他システム情報の受信を停止するように構成される伝送制御モジュールと、をさらに備えることを特徴とする請求項６に記載のシステム情報受信装置。
【請求項１０】
ページング情報に基づいて第２の指示情報及び／又は第３の指示情報が変化されたか否かを確定することではなく、前記最小システム情報をモニタリングすることによって、最新の第２の指示情報及び／又は第３の指示情報をリアルタイムで受信するように構成されるモニタリングモジュールを、さらに備えることを特徴とする請求項６〜９のいずれか１項に記載のシステム情報受信装置。
【請求項１１】
電子機器であって、
プロセッサーと、
プロセッサーの実行可能な命令を記憶するためのメモリと、を備え、
前記プロセッサーは、
基地局から第２の指示情報及び／又は第３の指示情報の修正周期を指示するための第１の指示情報を含む最小システム情報を受信し、
前記修正周期に基づいて前記目標のその他システム情報が伝送されている状態にあることが確定された場合、前記目標のその他システム情報が伝送されることに対応するタイムウィンドウにおいて、前記目標のその他システム情報を受信するように構成され、
前記第２の指示情報は、その他システム情報におけるオンデマンドの方式で伝送される目標のその他システム情報が伝送されている状態にあるか否かを指示するためのものであり、
前記第３の指示情報は、前記目標のその他システム情報の伝送方式を指示するためのものであることを特徴とする電子機器。
【請求項１２】
コンピュータプログラムが記憶されたコンピュータ読み取り可能な記録媒体であって、
前記コンピュータプログラムがプロセッサーにより実行される場合、
基地局から第２の指示情報及び／又は第３の指示情報の修正周期を指示するための第１の指示情報を含む最小システム情報を受信するステップと、
前記修正周期に基づいて前記目標のその他システム情報が伝送されている状態にあることが確定された場合、前記目標のその他システム情報が伝送されることに対応するタイムウィンドウにおいて、前記目標のその他システム情報を受信するステップと、を実現し、
前記第２の指示情報は、その他システム情報におけるオンデマンドの方式で伝送される目標のその他システム情報が伝送されている状態にあるか否かを指示するためのものであり、
前記第３の指示情報は、前記目標のその他システム情報の伝送方式を指示するためのものであることを特徴とするコンピュータ読み取り可能な記録媒体。
【請求項１３】
プロセッサーに実行されることによって、請求項１〜５のうちいずれか１項に記載のシステム情報受信方法を実現することを特徴とするコンピュータ読み取り可能な記録媒体に記録されたコンピュータプログラム。
【発明の詳細な説明】
【技術分野】
【０００１】
本発明は、通信技術分野に関し、特にシステム情報伝送方法、システム情報伝送装置、システム情報受信方法、システム情報受信装置、電子機器、コンピュータ読み取り可能な記録媒体およびプログラムに関する。
【背景技術】
【０００２】
基地局からユーザ装置に伝送される５Ｇ（第５世代移動通信技術）システム情報には、最小システム情報（ｍｉｎｉｍｕｍ  Ｓｙｓｔｅｍ  Ｉｎｆｏｒｍａｔｉｏｎ）とその他システム情報（ｏｔｈｅｒ  Ｓｙｓｔｅｍ  Ｉｎｆｏｒｍａｔｉｏｎ）が含まれている。最小システム情報は、ブロードキャストの方式によりユーザ装置に伝送されるが、その他システム情報は、その一部のシステム情報が要求に応じて取得（ｏｎ−ｄｅｍａｎｄ、オンデマンド）する方式でユーザ装置に伝送され、即ち、ユーザの要求が受信された後のみ、ユーザ装置に伝送され、ほかの一部のその他システム情報がブロードキャストの方式でユーザ装置に伝送される。
【０００３】
ある伝送方式で伝送されるその他システム情報について、一般的に当該その他システム情報の伝送に対応するタイムウィンドウ（Ｔｉｍｅ  ｗｉｎｄｏｗ）が一定である。しかし、当該その他システム情報が伝送されている状態にあるか否かは、基地局の設定の変化に伴って変更される。
【０００４】
これに基いて、ユーザ装置は、照会情報を基地局に頻繁的に伝送する必要となり、その他システム情報がどの期間で伝送されている状態にあるかを確定することで、対応するタイムウィンドウにおいて対応する受信方式を利用して受信する。しかしながら、ユーザ装置が照会情報を基地局に頻繁に伝送すると、ユーザ装置の電力消費量が浪費される一方で、基地局が照会情報に基づいてフィードバックするのにも時間がかかる。従って、ユーザ装置が、その他システム情報が伝送されている状態にあるか否かをタイムリーに確定し、タイムリーに受信することが不便である。
【発明の概要】
【発明が解決しようとする課題】
【０００５】
本発明は、従来技術における問題を解決するために、システム情報伝送方法、システム情報伝送装置、システム情報受信方法、システム情報受信装置、電子機器、コンピュータ読み取り可能な記録媒体及びプログラムを提供する。
【課題を解決するための手段】
【０００６】
本発明の実施例の第１の態様によれば、システム情報伝送方法が提供される。
前記システム情報伝送方法は、
第２の指示情報及び／又は第３の指示情報の修正周期を指示するための第１の指示情報を含む最小システム情報をブロードキャストするステップ、を含み、
ここで、前記第２の指示情報は、その他システム情報におけるオンデマンドの方式で伝送される目標のその他システム情報が伝送されている状態にあるか否かを指示するためのものであり、前記第３の指示情報は、前記目標のその他システム情報の伝送方式を指示するためのものである。
【０００７】
選択的に、前記第３の指示情報は、前記目標のその他システム情報が伝送されている状態にあるか否か、及び前記目標のその他システム情報の伝送方式を同時に指示するためのものである。
【０００８】
本発明の実施例の第２の態様によれば、システム情報受信方法が提供される。
前記システム情報受信方法は、
基地局から第２の指示情報及び／又は第３の指示情報の修正周期を指示するための第１の指示情報を含む最小システム情報を受信するステップと、
ここで、前記第２の指示情報は、その他システム情報におけるオンデマンドの方式で伝送される目標のその他システム情報が伝送されている状態にあるか否かを指示するためのものであり、前記第３の指示情報は、前記目標のその他システム情報の伝送方式を指示するためのものであり、
前記修正周期に基づいて前記目標のその他システム情報が伝送されている状態にあることが確定された場合、前記目標のその他システム情報が伝送されることに対応するタイムウィンドウにおいて、前記目標のその他システム情報を受信するステップと、を含む。
【０００９】
選択的に、前記システム情報受信方法は、
前記第１の目標のその他システム情報を再びに取得するための第２の要求を前記基地局に伝送する前に、前記基地局が前記第１の要求に基づいて伝送した確認情報が受信されたか否かを確定するステップと、
前記確認情報が受信された場合、前記第２の要求を前記基地局に伝送するステップと、をさらに含む。  
【００１０】
選択的に、前記システム情報受信方法は、
前記目標のその他システム情報を取得するための要求を前記基地局に伝送した後、前記目標のその他システム情報が伝送されることに対応するタイムウィンドウにおいて前記目標のその他システム情報が受信される前に、最近に受信された最小システム情報における第２の指示情報に基づき、前記目標のその他システム情報が伝送されることに対応する最近のタイムウィンドウにおいて、前記目標のその他システム情報が伝送されている状態にあるか否かを確定するステップと、
伝送されている状態にある場合、前記目標のその他システム情報が伝送されることに対応するタイムウィンドウにおいて、前記目標のその他システム情報を受信するステップと、
伝送されていない状態にある場合、前記目標のその他システム情報が伝送されることに対応するタイムウィンドウにおいて、前記目標のその他システム情報の受信を停止するステップと、をさらに含む。
【００１１】
選択的に、前記システム情報受信方法は、
前記目標のその他システム情報が伝送されることに対応するタイムウィンドウにおける予め設定された期間内に、前記目標のその他システム情報を受信できるか否かを確定するステップと、
受信できない場合、前記目標のその他システム情報が伝送されることに対応するタイムウィンドウにおいて、前記目標のその他システム情報の受信を停止するステップと、をさらに含む。
【００１２】
選択的に、前記システム情報受信方法は、
ページング情報に基づいて第２の指示情報及び／又は第３の指示情報が変化されたか否かを確定することではなく、前記最小システム情報をモニタリングすることによって、最新の第２の指示情報及び／又は第３の指示情報をリアルタイムで受信するステップ、をさらに含む。
【００１３】
本発明の実施例の第３の態様によれば、システム情報伝送装置が提供される。
前記システム情報伝送装置は、
第２の指示情報及び／又は第３の指示情報の修正周期を指示するための第１の指示情報を含む最小システム情報をブロードキャストするように構成されるブロードキャストモジュールと、を備え、
ここで、前記第２の指示情報は、その他システム情報におけるオンデマンドの方式で伝送される目標のその他システム情報が伝送されている状態にあるか否かを指示するためのものであり、前記第３の指示情報は、前記目標のその他システム情報の伝送方式を指示するためのものである。
【００１４】
選択的に、前記第３の指示情報は、前記目標のその他システム情報が伝送されている状態にあるか否か、及び前記目標のその他システム情報の伝送方式を同時に指示するためのものである。
【００１５】
本発明の実施例の第４の態様によれば、システム情報受信装置が提供される。
前記システム情報受信装置は、
基地局から第２の指示情報及び／又は第３の指示情報の修正周期を指示するための第１の指示情報を含む最小システム情報を受信するように構成される第１の受信モジュールと、
ここで、前記第２の指示情報は、その他システム情報におけるオンデマンドの方式で伝送される目標のその他システム情報が伝送されている状態にあるか否かを指示するためのものであり、前記第３の指示情報は、前記目標のその他システム情報の伝送方式を指示するためのものであり、
前記修正周期に基づいて前記目標のその他システム情報が伝送されている状態にあることが確定された場合、前記目標のその他システム情報が伝送されることに対応するタイムウィンドウにおいて、前記目標のその他システム情報を受信するように構成される第２の受信モジュールと、を備える。
【００１６】
選択的に、前記システム情報受信装置は、
前記第１の目標のその他システム情報を再びに取得するための第２の要求を前記基地局に伝送する前に、前記基地局が前記第１の要求に基づいて伝送した確認情報が受信されたか否かを確定するように構成される第１の確定モジュールと、
前記確認情報が受信された場合、前記第２の要求を前記基地局に伝送するように構成される伝送モジュールと、をさらに備える。
【００１７】
選択的に、前記システム情報受信装置は、
前記目標のその他システム情報を取得するための要求を前記基地局に伝送した後、前記目標のその他システム情報が伝送されることに対応するタイムウィンドウにおいて前記目標のその他システム情報が受信される前に、最近に受信された最小システム情報における第２の指示情報に基づき、前記目標のその他システム情報が伝送されることに対応する最近のタイムウィンドウにおいて、前記目標のその他システム情報が伝送されている状態にあるか否かを確定するように構成される第２の確定モジュールを、さらに備え、
前記第２の受信モジュールは、
前記目標のその他システム情報が伝送されることに対応する最近のタイムウィンドウにおいて、前記目標のその他システム情報が伝送されている状態にある場合、前記目標のその他システム情報が伝送されることに対応するタイムウィンドウにおいて、前記目標のその他システム情報を受信するように構成される第１の受信サブモジュールと、
前記目標のその他システム情報が伝送されることに対応する最近的なタイムウィンドウにおいて、前記目標のその他システム情報が伝送されていない状態にあった場合、前記目標のその他システム情報が伝送されることに対応するタイムウィンドウにおいて、前記目標のその他システム情報の受信を停止するように構成される第２の受信サブモジュールと、を備える。
【００１８】
選択的に、前記システム情報受信装置は、
前記目標のその他システム情報が伝送されることに対応するタイムウィンドウにおける予め設定された期間内に、前記目標のその他システム情報を受信できるか否かを確定するように構成される第３の確定モジュールと、
前記目標のその他システム情報が伝送されることに対応するタイムウィンドウにおける予め設定された期間内に、前記目標のその他システム情報を受信できない場合、前記目標のその他システム情報が伝送されることに対応するタイムウィンドウにおいて、前記目標のその他システム情報の受信を停止するように構成される伝送制御モジュールと、をさらに備える。
【００１９】
選択的に、前記システム情報受信装置は、
ページング情報に基づいて第２の指示情報及び／又は第３の指示情報が変化されたか否かを確定することではなく、前記最小システム情報をモニタリングすることによって、最新の第２の指示情報及び／又は第３の指示情報をリアルタイムで受信するように構成されるモニタリングモジュール、をさらに備える。
【００２０】
本発明の実施例の第５の態様によれば、電子機器が提供される。
前記電子機器は、
プロセッサーと、
プロセッサーの実行可能な命令を記憶するためのメモリと、を備え、
前記プロセッサーは、
第２の指示情報及び／又は第３の指示情報の修正周期を指示するための第１の指示情報を含む最小システム情報をブロードキャストするように構成され、
ここで、前記第２の指示情報は、その他システム情報におけるオンデマンドの方式で伝送される目標のその他システム情報が伝送されている状態にあるか否かを指示するためのものであり、前記第３の指示情報は、前記目標のその他システム情報の伝送方式を指示するためのものである。
【００２１】
本発明の実施例の第６の態様によれば、電子機器が提供される、
前記電子機器は、
プロセッサーと、
プロセッサーの実行可能な命令を記憶するためのメモリと、を備え、
前記プロセッサーは、
基地局から第２の指示情報及び／又は第３の指示情報の修正周期を指示するための第１の指示情報を含む最小システム情報を受信するように構成され、
ここで、前記第２の指示情報は、その他システム情報におけるオンデマンドの方式で伝送される目標のその他システム情報が伝送されている状態にあるか否かを指示するためのものであり、前記第３の指示情報は、前記目標のその他システム情報の伝送方式を指示するためのものであり、
前記修正周期に基づいて前記目標のその他システム情報が伝送されている状態にあることが確定された場合、前記目標のその他システム情報が伝送されることに対応するタイムウィンドウにおいて、前記目標のその他システム情報を受信するように構成される。
【００２２】
本発明の実施例の第７の態様によれば、コンピュータプログラムが記憶されたコンピュータ読み取り可能な記録媒体が提供される。前記コンピュータプログラムがプロセッサーにより実行される場合、
第２の指示情報及び／又は第３の指示情報の修正周期を指示するための第１の指示情報を含む最小システム情報をブロードキャストするステップを実現し、  
ここで、前記第２の指示情報は、その他システム情報におけるオンデマンドの方式で伝送された目標のその他システム情報が伝送されている状態にあるか否かを指示するためのものであり、前記第３の指示情報は、前記目標のその他システム情報の伝送方式を指示するためのものである。
【００２３】
本発明の実施例の第８の態様によれば、コンピュータプログラムが記憶されたコンピュータ読み取り可能な記録媒体が提供される。前記コンピュータプログラムがプロセッサーにより実行される場合、
基地局から第２の指示情報及び／又は第３の指示情報の修正周期を指示するための第１の指示情報を含む最小システム情報を受信するステップと、
ここで、前記第２の指示情報は、その他システム情報におけるオンデマンドの方式で伝送された目標のその他システム情報が伝送されている状態にあるか否かを指示するためのものであり、前記第３の指示情報は、前記目標のその他システム情報の伝送方式を指示するためのものであり、
前記修正周期に基づいて前記目標のその他システム情報が伝送されている状態にあることが確定された場合、前記目標のその他システム情報が伝送されることに対応するタイムウィンドウにおいて、前記目標のその他システム情報を受信するステップと、を実現する。
本発明の実施例の第９の態様によれば、プロセッサーに実行されることにより上記のシステム情報伝送方法を実現するプログラムが提供される。
本発明の実施例の第１０の態様によれば、プロセッサーに実行されることにより上記のシステム情報受信方法を実現するプログラムが提供される。
【発明の効果】
【００２４】
本発明の実施例に提供された技術案によれば、以下のような作用効果を含むことができる。
上記の実施例からわかるように、最小システム情報が常にブロードキャストの方式で送信されるので、最小システム情報に前記第２の指示情報と前記第３の指示情報の修正周期を指示するための第１の指示情報を設けることによって、ユーザ装置が最小システム情報を受信できることが確保されることができる。さらに、最小システム情報における第１の指示情報に基づいて、第２の指示情報と第３の指示情報の修正周期を確定することができることによって、目標のその他システム情報が伝送されている状態にある周期、及び／又は当該周期内において目標のその他システム情報の伝送方式を確定することができ、これにより、対応する受信方式を採用して目標のその他システム情報を受信することができる。
【００２５】
ユーザ装置が照会情報を基地局に送信する必要がないので、ユーザ装置の電力消費量が節約される一方、ユーザ装置を第１の指示情報に基づいて目標のその他システム情報が伝送されている状態にある周期、及び／又は当該周期内において目標のその他システム情報の伝送方式を確定できることによって、対応するタイムウィンドウにおいて、対応する受信方式を採用して目標のその他システム情報をタイムリーに受信することが容易になる。
【００２６】
上述の一般的な説明および後述の詳細な説明は、単に例示的及び解釈的なものであり、本発明を限定するものでないことは、理解されるべきである。
【図面の簡単な説明】
【００２７】
以下、本発明の実施例に係る技術案をさらに明瞭に説明するために、実施例の説明に利用する図面に対して簡単に説明する。なお、以下の記載における図面は、ただ本発明の一部の実施例に過ぎず、当業者は、創造的な労働を付与しない前提で、これらの図面により他の図面を得ることができる。
【図１】一例示的な実施例に係るシステム情報伝送方法を示す模式的なフローチャートである。
【図２】一例示的な実施例に係るシステム情報受信方法を示す模式的なフローチャートである。
【図３】一例示的な実施例に係る別のシステム情報受信方法を示す模式的なフローチャートである。
【図４】一例示的な実施例に係るさらに別のシステム情報受信方法を示す模式的なフローチャートである。
【図５】一例示的な実施例に係るさらに別のシステム情報受信方法を示す模式的なフローチャートである。
【図６】一例示的な実施例に係るさらに別のシステム情報受信方法を示す模式的なフローチャートである。
【図７】一例示的な実施例に係るシステム情報伝送装置を示す模式的なブロック図である。
【図８】一例示的な実施例に係るシステム情報受信装置を示す模式的なブロック図である。
【図９】一例示的な実施例に係る別のシステム情報受信装置を示す模式的なブロック図である。
【図１０】一例示的な実施例に係るさらに別のシステム情報受信装置を示す模式的なブロック図である。
【図１１】一例示的な実施例に係るさらに別のシステム情報受信装置を示す模式的なブロック図である。
【図１２】一例示的な実施例に係るさらに別のシステム情報受信装置を示す模式的なブロック図である。
【図１３】一例示的な実施例に係る通信装置の構成を示す模式図である。
【発明を実施するための形態】
【００２８】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施形態に記載の実施例は、本発明と一致する全ての実施例を代表するものではない。即ち、それらは、特許請求の範囲に記載の本発明のある側面に一致する装置及び方法の例に過ぎない。
【００２９】
図１は、一例示的な実施例に係るシステム情報伝送方法を示す模式的なフローチャートである。例えば、本実施例は、５Ｇの信号を伝送する基地局のような基地局に適用されることができる。上記システム情報伝送方法は、図１に示すように、以下のステップを含む。  
【００３０】
ステップＳ１１において、第２の指示情報及び／又は第３の指示情報の修正周期を指示するための第１の指示情報を含む最小システム情報をブロードキャストし、ここで、前記第２の指示情報は、その他システム情報におけるオンデマンドの方式で伝送された目標のその他システム情報が伝送されている状態にあるか否かを指示するためのものであり、前記第３の指示情報は、前記目標のその他システム情報の伝送方式を指示するためのものである。
【００３１】
１つの実施例において、５Ｇの信号を伝送する基地局を一例として、そのシステム情報の伝送の方式は、４Ｇの信号を伝送する基地局がシステム情報を伝送する方式と異なる。４Ｇの信号を伝送する基地局によるシステム情報の伝送方式は、ブロードキャストという１つの方式しかないので、基地局の消費電力が大きくなり、周波数スペクトルに対する利用率が低いという問題が生じる。
【００３２】
これに対して、５Ｇの信号を伝送する基地局において、システム情報は最小システム情報及びその他システム情報に区分される。最小システム情報は、少なくともセルの選択及びアクセスに関連する情報、その他システム情報のスケジューリング情報などを含むので、ブロードキャストの方式のみで伝送する。その他システム情報における一部のシステム情報がオンデマンドの方式でユーザ装置に伝送され、即ち、ユーザの要求が受信された後のみ、ユーザ装置に伝送され、ほかの一部のシステム情報がブロードキャストの方式でユーザ装置に伝送される。
【００３３】
１つの実施例において、基地局は、ランダムにアクセスされた一つ目のメッセージ（単にＭＳＧ１を称する。ユーザ装置は、当該メッセージに基いてチャネルにアクセスするのガイドコードを基地局に送信することができる。）によって、その他システム情報を取得するための要求を基地局に送信することができる。ランダムにアクセスされた三つ目のメッセージ（単にＭＳＧ３を称する。ユーザ装置は、当該メッセージに基いて、例えば要求の接続確立又はデータなどの上りメッセージを基地局に送信することができる）によって、その他システム情報を取得するための要求を基地局に送信することができる。
【００３４】
１つの実施例において、基地局で、ある方式で伝送されるその他システム情報に対応するタイムウィンドウが一定である。即ち、基地局は、一定である１つ以上のタイムウィンドウのみにおいて、対応する伝送方式でその他システム情報を伝送する。しかしながら、例えば、基地局の設定情報が変更されるような何らかの理由により、ある方式で伝送されたその他システム情報が伝送されている状態にあることに変化される。即ち、第２の指示情報が変化される。そして、伝送方式にも変化する可能があり、即ち、第３の指示情報が変化される。
【００３５】
例えば、目標のその他システム情報の伝送状態が伝送されている状態から伝送されていない状態に変更する場合、変更が生じた後に、ユーザ装置が変化される前に当該目標のその他システム情報が伝送されることに対応するタイムウィンドウにおいて目標のその他システム情報が受信し続けると、目標のその他システム情報が受信できなくなる。当該問題に基づき、ユーザ装置は、ユーザ装置が照会情報を基地局に頻繁に伝送することが必要であることで、第２の指示情報と第３の指示情報の変化状況を確定し、これにより、対応する受信方式を採用して対応するタイムウィンドウにおいて受信する。
【００３６】
例えば、第２の指示情報が１２：００−１２：１０、１２：１５−１２：２５、１２：３０−１２：４０、１２：４５−１２：５５で目標のその他システム情報が伝送されている状態にあることを指示すると、第１の指示情報は、第２の指示情報の修正周期が１５分間であることを指示するためのものである。さらに、１つの周期における最初の１０分間に目標のその他システム情報が伝送されている状態にあり、１つの周期における最後の５分間に目標のその他システム情報が伝送されていない状態にあることを指示することもできる。  
【００３７】
本実施例は、最小システム情報に前記第２の指示情報と前記第３の指示情報の修正周期を指示するための第１の指示情報を設けることによって、最小システム情報が常にブロードキャストの方式で送信されるので、ユーザ装置が最小システム情報を受信できることが確保されることができる。さらに、最小システム情報における第１の指示情報に基づいて、第２の指示情報と第３の指示情報の修正周期を確定することができることによって、目標のその他システム情報が伝送されている状態にある周期、及び／又は当該周期内において目標のその他システム情報の伝送方式を確定することができる。これにより、対応する受信方式（例えば、当該周期内において目標のその他システム情報の伝送方式がオンデマンドである場合、基地局に要求を送信し、そして、基地局により伝送される目標のその他システム情報を受信する。）を採用して目標のその他システム情報を受信することができる。
【００３８】
本実施例によれば、ユーザ装置が照会情報を基地局に送信する必要がないので、ユーザ装置の電力消費量が節約される一方、ユーザ装置が第１の指示情報に基づいて目標のその他システム情報が伝送されている状態にある周期、及び／又は当該周期内において目標のその他システム情報の伝送方式をタイムリーに確定することができることによって、対応するタイムウィンドウにおいて対応する受信方式を採用して目標のその他システム情報をタイムリーに受信することが容易になる。
【００３９】
選択的に、前記第３の指示情報は、前記目標のその他システム情報が伝送されている状態にあるが否か、及び前記目標のその他システム情報の伝送方式を同時に指示するためのものである。
【００４０】
１つの実施例において、第３の指示情報は、目標のその他システム情報が伝送されている状態にあるか否か、及び目標のその他システム情報の伝送方式を同時に指示するために用いられるように、第２の指示情報及び第３の指示情報がビットを多重化することができる。例えば、第２の指示情報及び第３の指示情報が２つのビット又は１つのビットを多重化することによって、最小システム情報において第２の指示情報及び第３の指示情報が占めるビット位置を低減させることができることで、最小システム情報がより多くの情報を携帯可能にする。
【００４１】
例えば、２つのビットが多重化された場合、目標のその他システム情報は、当該２つのビットが００である場合、その伝送方式がブロードキャストであり、伝送されている状態にあることを示し；当該２つのビットが０１である場合、その伝送方式がブロードキャストであり、伝送されていない状態にあることを示し；当該２つのビットが１０である場合、その伝送方式がオンデマンドであり、伝送されている状態にあることを示し；当該２つのビットが１１である場合、その伝送方式がオンデマンドであり、伝送されていない状態にあることを示す。
【００４２】
例えば、１つのビットが多重化された場合、目標のその他システム情報は、当該ビットが１である場合、その伝送方式がブロードキャストであり、伝送されている状態にあることを示し；当該ビットが０である場合、伝送方式がオンデマンド又はブロードキャストであり、伝送されていない状態にあることを示す。１つのビットが多重化された場合、一つの状態（即ち、伝送方式がブロードキャストであり、伝送されていない状態にあること）が示されないことが存在する。そして、当該ビットが０である場合、これが示す内容には不確定性が存在する。この２つの問題について、最小システム情報における他のビットにより示すことができるが、どのくらいのビットを選択するのかは、必要に応じて設定してもよい。
【００４３】
図２は、一例示的な実施例に係るシステム情報受信方法を示す模式的なフローチャートである。例えば、本実施例は、５Ｇの信号を受信するユーザ装置のようなユーザ装置に適用されることができる。上記システム情報受信方法は、図２に示すように、以下のステップを含む。
【００４４】
ステップＳ２１において、基地局から第２の指示情報及び／又は第３の指示情報の修正周期を指示するための第１の指示情報を含む最小システム情報を受信し、ここで、前記第２の指示情報は、その他システム情報におけるオンデマンドの方式で伝送される目標のその他システム情報が伝送されている状態にあるか否かを指示するためのものであり、前記第３の指示情報は、前記目標のその他システム情報の伝送方式を指示するためのものであり、
ステップＳ２２において、前記修正周期に基づいて前記目標のその他システム情報が伝送されている状態にあることが確定された場合、前記目標のその他システム情報が伝送されることに対応するタイムウィンドウにおいて、前記目標のその他システム情報を受信する。
【００４５】
１つの実施例において、ユーザ装置は、図１に示す実施例における基地局から送信される最小システム情報とその他システム情報を受信することができる。
【００４６】
最小システム情報には、前記第２の指示情報及び前記第３の指示情報の修正周期を指示するための第１の指示情報が設けられ、最小システム情報が常にブロードキャストの方式で送信されるので、ユーザ装置が最小システム情報を受信できることが確保できる。さらに、最小システム情報における第１の指示情報に基づいて第２の指示情報及び第３の指示情報の修正周期を確定できることによって、目標のその他システム情報が伝送されている状態にある周期、及び／又は当該周期内において目標のその他システム情報の伝送方式を確定することができ、これにより、対応する受信方式を採用して目標のその他システム情報を受信することができる。
【００４７】
ユーザ装置が照会情報を基地局に送信する必要がないので、ユーザ装置の電力消費量が節約される一方、ユーザ装置を第１の指示情報に基づいて目標のその他システム情報が伝送されている状態にある周期、及び／又は当該周期内において目標のその他システム情報の伝送方式を確定することができることによって、対応するタイムウィンドウにおいて、対応する受信方式を採用して目標のその他システム情報をタイムリーに受信することが容易になる。
【００４８】
図３は、一例示的な実施例に係る別のシステム情報受信方法を示す模式的なフローチャートである。上記システム情報受信方法は、図３に示すように、図２に示す実施例の上で以下のステップをさらに含む。
【００４９】
ステップＳ２３において、前記第１の目標のその他システム情報を再びに取得するための第２の要求を前記基地局に伝送する前に、前記基地局が前記第１の要求に基づいて伝送した確認情報が受信されたか否かを確定する。
【００５０】
ステップＳ２４において、前記確認情報が受信された場合、前記第２の要求を前記基地局に伝送する。
【００５１】
１つの実施例において、ユーザ装置は、主にＭＳＧ１及び／またはＭＳＧ３によってその他システム情報を取得するための要求を基地局に伝送するが、ＭＳＧ１およびＭＳＧ３の設定に対する制限があるので、ＭＳＧ１およびＭＳＧ３によって２つの要求（即ち、基地局から送信された第１の要求に対する確認情報を受信する前に、第２の要求を送信する）を同時に送信する場合、基地局が正しい確認情報をフィードバックすることができなくなり、さらに、対応するその他システム情報を送信することができなくなる。例えば、基地局は、ユーザ装置がＭＳＧ３によって２つの要求を同時に送信した場合、第１の要求と第２の要求のバイトが分離されている２つのバイトであるか、それとも連続されている１つのバイトであるかを理解できないので、正しい確認情報をフィードバックできなくてしまう。
【００５２】
したがって、ユーザ装置が第１の要求に対する確認情報を受信した後のみ、第２の要求を送信することを許可するように設定することによって、基地局が２つの要求を正しく識別し、正しい確認情報をフィードバックできることを確保することができる。
【００５３】
図４は、一例示的な実施例に係るさらに別のシステム情報受信方法を示す模式的なフローチャートである。上記システム情報受信方法は、図４に示すように、図２に示す実施例の上で以下のステップをさらに含む。
【００５４】
ステップＳ２５において、前記目標のその他システム情報を取得するための要求を前記基地局に伝送した後、前記目標のその他システム情報が伝送されることに対応するタイムウィンドウにおいて前記目標のその他システム情報が受信される前に、最近に受信された最小システム情報における第２の指示情報に基づき、前記目標のその他システム情報が伝送されることに対応する最近のタイムウィンドウにおいて、前記目標のその他システム情報が伝送されている状態にあるか否かを確定する。
【００５５】
ステップＳ２６において、伝送されている状態にある場合、前記目標のその他システム情報が伝送されることに対応するタイムウィンドウにおいて、前記目標のその他システム情報を受信する。
【００５６】
ステップＳ２７において、伝送されていない状態にある場合、前記目標のその他システム情報が伝送されることに対応するタイムウィンドウにおいて、前記目標のその他システム情報の受信を停止する。
【００５７】
１つの実施例において、ユーザ装置が最小システム情報を受信する毎に一定の時間間隔が存在するので、最近に受信された最小システム情報における第２の表示情報とその前に受信された最小システム情報の第２の表示情報とは異なる可能性がある。例えば、目標のその他システム情報の伝送状態が変更されたか否かである。
【００５８】
したがって、ユーザ装置は、目標のその他システム情報を取得するための要求を前記基地局に伝送した後、目標のその他システム情報が伝送されることに対応するタイムウィンドウにおいて目標のその他システム情報を受信する前に、最近に受信された最小システム情報における第２の指示情報に基づき、目標のその他システム情報の伝送状態が変化されたか否かを確定することができる。変化された場合、受信戦略を変更させる。例えば、目標のその他システム情報が、伝送されていない状態から伝送されている状態に変更された場合、目標のその他システム情報がタイムリーに受信されることを確保できるように、対応するタイムウィンドウにおいて目標のその他システム情報を受信することができる。例えば、目標のその他システム情報が伝送されている状態から伝送されない状態に変更された場合、対応するタイムウィンドウにおいて目標のその他システム情報の受信を停止することができるので、電力消費量の消耗を減少させることができる。
【００５９】
図５は、一例示的な実施例に係るさらに別のシステム情報受信方法を示す模式的なフローチャートである。上記システム情報受信方法は、図５に示すように、図２に示す実施例の上で以下のステップをさらに含む。
【００６０】
ステップＳ２８において、前記目標のその他システム情報が伝送されることに対応するタイムウィンドウにおける予め設定された期間内に、前記目標のその他システム情報を受信できるか否かを確定する。
【００６１】
ステップＳ２９において、受信できない場合、前記目標のその他システム情報が伝送されることに対応するタイムウィンドウにおいて、前記目標のその他システム情報の受信を停止する。
【００６２】
１つの実施例において、ユーザ装置が最小システム情報を受信する毎に一定の時間間隔が存在するので、最小システム情報における第２の指示情報が変化されたが、ユーザ装置が変化された第２の指示情報を未だ受信しなかった場合、変化される前の第２の指示情報により指示される伝送状態に対応する受信戦略を依然として採用する。
【００６３】
例えば、目標のその他システム情報がスケジューリングされる状態からスケジューリングされていない状態に変更したり、伝送されている状態から伝送されない状態に変更したりするが、ユーザ装置は、対応する指示情報を未だ受信しなかった場合、対応するタイムウィンドウにおいて目標のその他システム情報を依然として受信する。しかし、目標のその他システム情報が既にスケジューリングされていない状態又は伝送されていない状態にあるので、ユーザ装置は、対応するタイムウィンドウにおいて当該目標のその他システム情報を受信することができない。
【００６４】
１つの実施例において、予め設定された期間は、いくつかのサブフレームであることができる。そして、予め設定された期間が基地局により設定されることができる。即ち、基地局は、予め設定された期間を指示するための指示情報をユーザ装置に伝送し、ユーザ装置は、当該指示情報に基づいて予め設定された期間を確定する。即ち、システムにより約定されることができ、即ち基地局による配置する必要がない。ユーザ装置は、予め設定された期間を約定に基いて確定する。
【００６５】
ユーザ装置が対応するタイムウィンドウにおける予め設定された期間内に、目標のその他システム情報を受信できたか否かを確定することによって、目標のその他システム情報のスケジューリング状態及び／又は伝送状態が変更されたか否かを判断できる。例えば、予め設定された期間を０．５ミリ秒とした時、最近の対応するタイムウィンドウにおける最初の０．５ミリ秒に目標のその他システム情報が受信されなかった場合、目標のその他システム情報がスケジューリングされる状態からスケジューリングされていない状態に変更されたと確定でき（例えば、物理的な下り制御チャネルにおいて、システム情報の無線ネットワークの一時的な識別子がモニタリングされなかった状況）、或いは伝送されている状態から伝送されていない状態に変更されたと確定できるので、目標のその他システム情報の受信を停止でき、電力消費量を削減することができる。
【００６６】
図６は、一例示的な実施例に係るさらに別のシステム情報受信方法を示すフローチャートである。上記システム情報受信方法は、図６に示すように、図２に示す実施例の上で以下のステップをさらに含む。
【００６７】
ステップＳ２０において、ページング情報に基づいて第２の指示情報及び／又は第３の指示情報が変化されたか否かを確定することではなく、前記最小システム情報をモニタリングすることによって、最新の第２の指示情報及び／又は第３の指示情報をリアルタイムで受信する。
【００６８】
従来技術において、最小システム情報における第２の指示情報及び／又は第３の指示情報の変更は、ページング（Ｐａｇｉｎｇ）情報により指示される必要がある。本実施例によれば、ユーザ装置の自身から最新の第２の指示情報及び／又は第３の指示情報がモニタリングする。これにより、最新の第２の指示情報がモニタリングされた場合、最新の第２の指示情報をリアルタイムで受信し、及び／又は、最新の第３の指示情報がモニタリングされた場合、最新の第３の指示情報をリアルタイムで受信できる。したがって、ページング情報を送信及び受信する必要しないので、システムの情報の送信及び受信による負荷を軽減させることができる。
【００６９】
なお、ステップＳ２０は、図６に示すように、ステップＳ２２の後に実行されてもよいが、必要に応じてその実行順番を変更できる。例えば、ステップＳ２１の前に実行してもよい。
【００７０】
上記のシステム情報伝送方法とシステム情報受信方法の実施例は対応する。本発明は、システム情報伝送装置及びシステム情報受信装置の実施例も提供する。
【００７１】
図７は、一例示的な実施例に係るシステム情報伝送装置を示す模式的なブロック図である。前記システム情報伝送装置は、図７に示すように、
第２の指示情報及び／又は第３の指示情報の修正周期を指示するための第１の指示情報を含む最小システム情報をブロードキャストするように構成されるブロードキャストモジュール７１、を備え、
ここで、前記第２の指示情報は、その他システム情報におけるオンデマンドの方式で伝送される目標のその他システム情報が伝送されている状態にあるか否かを指示するためのものであり、前記第３の指示情報は、前記目標のその他システム情報の伝送方式を指示するためのものである。
【００７２】
選択的に、前記第３の指示情報は、前記目標のその他システム情報が伝送されている状態にあるか否か、及び前記目標のその他システム情報の伝送方式を同時に指示するためのものである。
【００７３】
図８は、一例示的な実施例に係るシステム情報受信装置を示す模式的なブロック図である。前記システム情報受信装置は、図８に示すように、
基地局により伝送される第２の指示情報及び／又は第３の指示情報の修正周期を指示するための第１の指示情報を含む最小システム情報を受信するように構成される第１の受信モジュール８１と、
ここで、前記第２の指示情報は、その他システム情報におけるオンデマンドの方式で伝送される目標のその他システム情報が伝送されている状態にあるか否かを指示するためのものであり、前記第３の指示情報は、前記目標のその他システム情報の伝送方式を指示するためのものであり、
前記修正周期に基づいて前記目標のその他システム情報が伝送されている状態にあることが確定された場合、前記目標のその他システム情報が伝送されることに対応するタイムウィンドウにおいて、前記目標のその他システム情報を受信するように構成される第２の受信モジュール８２と、をさらに備える。
【００７４】
図９は、一例示的な実施例に係るさらに別のシステム情報受信装置を示す模式的なブロック図である。上記システム情報受信装置は、図９に示すように、図８に示す実施例の上で、
前記第１の目標のその他システム情報を再びに取得するための第２の要求を前記基地局に伝送する前、前記基地局が伝前記第１の要求に基づいて送した確認情報が受信されたか否かを確定するように構成される第１の確定モジュール８３と、
前記確認情報が受信された場合、前記第２の要求を前記基地局に伝送するように構成される伝送モジュール８４と、をさらに備える。
【００７５】
図１０は、一例示的な実施例に係るさらに別のシステム情報受信装置を示す模式的なブロック図である。上記システム情報受信装置は、図１０に示すように、図８に示す実施例の上で、
前記目標のその他システム情報を取得するための要求を前記基地局に伝送した後、前記目標のその他システム情報が伝送されることに対応するタイムウィンドウにおいて前記目標のその他システム情報が受信される前に、最近に受信された最小システム情報における第２の指示情報に基づき、前記目標のその他システム情報が伝送されることに対応する最近のタイムウィンドウにおいて、前記目標のその他システム情報が伝送されている状態にあるか否かを確定するように構成される第２の確定モジュール８５と、をさらに備える。
【００７６】
前記第２の受信モジュール８２は、
前記目標のその他システム情報が伝送されることに対応する最近のタイムウィンドウにおいて、前記目標のその他システム情報が伝送されている状態にある場合、前記目標のその他システム情報が伝送されることに対応するタイムウィンドウにおいて、前記目標のその他システム情報を受信するように構成される第１の受信サブモジュール８２１と、
前記目標のその他システム情報が伝送されることに対応する最近のタイムウィンドウにおいて、前記目標のその他システム情報が伝送されていない状態にある場合、前記目標のその他システム情報が伝送されることに対応するタイムウィンドウにおいて、前記目標のその他システム情報の受信を停止するように構成される第２の受信サブモジュール８２２と、を備える。
【００７７】
図１１は、一例示的な実施例に係るさらに別のシステム情報受信装置を示す模式的なブロック図である。上記システム情報受信装置は、図１１に示すように、図８に示す実施例の上で、
前記目標のその他システム情報が伝送されることに対応するタイムウィンドウにおける予め設定された期間内に、前記目標のその他システム情報が受信できるか否かを確定するように構成される第３の確定モジュール８６と、
前記目標のその他システム情報が伝送されることに対応するタイムウィンドウにおける予め設定された期間内に、前記目標のその他システム情報が受信できない場合、前記目標のその他システム情報が伝送されることに対応するタイムウィンドウにおいて、前記目標のその他システム情報の受信を停止するように構成される伝送制御モジュール８７と、をさらに備える。
【００７８】
図１２は、一例示的な実施例に係るさらに別のシステム情報受信装置を示す模式的なブロック図である。上記システム情報受信装置は、図１２に示すように、図８に示す実施例の元で、
ページング情報に基づいて第２の指示情報及び／又は第３の指示情報が変化されたか否かを確定することではなく、最小システム情報をモニタリングすることによって、最新の第２の指示情報及び／又は最新の第３の指示情報をリアルタイムで受信するように構成されるモニタリングモジュール８８を、さらに備える。
【００７９】
上記の実施例における装置に関して、各モジュールが動作を実行する具体的な方式は、関連する方法の実施例において既に詳細に説明したので、ここでは詳細に説明しない。
【００８０】
装置の実施例は、基本的に方法の実施例に対応するので、関連する部分は方法の実施例の説明を参照すればよい。上記の装置の実施例は、単に模式的な例に過ぎない。ここで、前記分離部材として説明したモジュールは、物理的に分離されている場合又はそうではない場合があり、表示部材とするモジュールは、物理的なモジュールである場合又はそうではない場合がある。即ち、一つの場所に位置してもよく、または複数のネットワークモジュールに分散されてもよい。本発明の目的は、実際の必要に応じてその一部又は全てのモジュールが選択されることで実現されることができる。当業者は、創造的な労働を付与しない前提で、本発明を理解し実施することができる。
【００８１】
それに対応し、本発明は、システム情報の伝送装置をさらに提供する。上記システム情報の伝送装置は、プロセッサーと、プロセッサーの実行可能な命令を記憶するためのメモリと、を備え、前記プロセッサーは、第２の指示情報及び／又は第３の指示情報の修正周期を指示するための第１の指示情報を含む最小システム情報をブロードキャストするように構成され、ここで、前記第２の指示情報は、その他システム情報におけるオンデマンドの方式で伝送される目標のその他システム情報が伝送されている状態にあるか否かを指示するためのものであり、前記第３の指示情報は、前記目標のその他システム情報の伝送方式を指示するためのものである。
【００８２】
これに対応して、本発明は、システム情報の受信装置をさらに提供する。上記システム情報の受信装置は、プロセッサーと、プロセッサーの実行可能な命令を記憶するためのメモリと、を備え、前記プロセッサーは、基地局から第２の指示情報及び／又は第３の指示情報の修正周期を指示するための第１の指示情報を含む最小システム情報を受信するように構成され、ここで、前記第２の指示情報は、その他システム情報におけるオンデマンドの方式で伝送される目標のその他システム情報が伝送されている状態にあるか否かを指示するためのものであり、前記第３の指示情報は、前記目標のその他システム情報の伝送方式を指示するためのものであり、前記修正周期に基づいて前記目標のその他システム情報が伝送されている状態にあることを確定された場合、前記目標のその他システム情報が伝送されることに対応するタイムウィンドウにおいて、前記目標のその他システム情報を受信するように構成される。
【００８３】
これに対応して、本発明は、端末をさらに提供する、上記端末は、メモリと、一つ以上のプログラムと、を備え、一つ以上のプログラムがメモリに記憶され、そして、一つ以上のプロセッサーにより以下のステップを実行するための指令を含む前記一つ以上のプログラムが実行されるように配置され、ここで、前記ステップは、第２の指示情報及び／又は第３の指示情報の修正周期を指示するための第１の指示情報を含む最小システム情報をブロードキャストするステップであり、ここで、前記第２の指示情報は、その他システム情報におけるオンデマンドの方式で伝送された目標のその他システム情報が伝送されている状態にあるか否かを指示するためのものであり、前記第３の指示情報は、前記目標のその他システム情報の伝送方式を指示するためのものである。
【００８４】
これに対応して、本発明は、端末をさらに提供する。前記端末は、メモリと、一つ以上のプログラムと、を備え、一つ以上のプログラムがメモリに記憶され、そして、一つ以上のプロセッサーにより以下の動作を実行するための指令を含む前記一つ以上のプログラムが実行されるように配置され、ここで、前記指令は、基地局から第２の指示情報及び／又は第３の指示情報の修正周期を指示するための第１の指示情報を含む最小システム情報を受信するステップと、ここで、前記第２の指示情報は、その他システム情報におけるオンデマンドの方式で伝送される目標のその他システム情報が伝送されている状態にあるか否かを指示するためのものであり、前記第３の指示情報は、前記目標のその他システム情報の伝送方式を指示するためのものであり、前記修正周期に基づいて前記目標のその他システム情報が伝送されている状態にあることが確定された場合、前記目標のその他システム情報が伝送されることに対応するタイムウィンドウにおいて、前記目標のその他システム情報を受信するステップと、を含む。  
【００８５】
図１３は、一例示的な実施例に係る通信装置の構成を示す模式図である。例えば、装置１３００は、携帯電話、コンピュータ、デジタルブロードキャスト端末、メッセージ送受信機、ゲームコンソール、タブレットデバイス、医療機器、フィットネス機器、ＰＤＡ等のものであってもよい。
【００８６】
図１３を参照すると、装置１３００は、処理ユニット１３０２、メモリ１３０４、電源ユニット１３０６、マルチメディアユニット１３０８、オーディオユニット１３１０、入力／出力（Ｉ／Ｏ）インタフェース１３１２、センサーユニット１３１４、及び通信ユニット１３１６からなる群から選ばれる少なくとも１つを備えてもよい。
【００８７】
処理ユニット１３０２は、一般的には、装置１３００の全体の操作、例えば、表示、電話呼び出し、データ通信、カメラ操作及び記録操作に関連する操作を制御する。処理ユニット１３０２は、上述した方法におけるステップの一部又は全部を実現できるように、命令を実行する少なくとも１つのプロセッサー１３２０を備えてもよい。また、処理ユニット１３０２は、他のユニットとのインタラクションを便利にさせるように、少なくとも１つのモジュールを備えてもよい。例えば、処理ユニット１３０２は、マルチメディアユニット１３０８とのインタラクションを便利にさせるように、マルチメディアモジュールを備えてもよい。
【００８８】
メモリ１３０４は、装置１３００での操作をサポートするように、各種のデータを記憶するように配置される。これらのデータは、例えば、装置１３００で何れのアプリケーション又は方法を操作するための命令、連絡先データ、電話帳データ、メッセージ、画像、ビデオ等を含む。メモリ１３０４は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクにより、或いはそれらの組み合わせにより実現することができる。
【００８９】
電源ユニット１３０６は、装置１３００の各種ユニットに電力を供給するためのものであり、電源管理システム、１つ又は複数の電源、及び装置１３００のために電力を生成、管理及び分配することに関連する他のユニットを備えてもよい。
【００９０】
マルチメディアユニット１３０８は、前記装置１３００とユーザとの間に出力インタフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザからの入力信号を受信するように、タッチスクリーンになることができる。また、タッチパネルは、タッチや、スライドや、タッチパネル上の手振りを感知するように、少なくとも１つのタッチセンサーを有する。前記タッチセンサーは、タッチやスライド動作の境界を感知できるだけではなく、前記タッチやスライド操作と関連する持続時間や圧力も感知できる。一実施例では、マルチメディアユニット１３０８は、フロントカメラ及び／又はバックカメラを有してもよい。装置１３００が、例えば、撮影モードやビデオモードのような操作モードにある時、フロントカメラ及び／又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【００９１】
オーディオユニット１３１０は、オーディオ信号を出力及び／又は入力するように配置される。例えば、オーディオユニット１３１０は、マイクロフォン（ＭｉＣ）を有してもよい。装置１３００が、例えば、呼び出しモード、記録モード、又は音声認識モードのような操作モードにあるとき、マイクロフォンは、外部のオーディオ信号を受信するように配置される。受信したオーディオ信号は、メモリ１３０４にさらに記憶されてもよいし、通信ユニット１３１６を介して送信されてもよい。一実施例では、オーディオユニット１３１０は、オーディオ信号を出力するためのスピーカをさらに備えてもよい。
【００９２】
Ｉ／Ｏインタフェース１３１２は、処理ユニット１３０２と外部のインタフェースモジュールとの間にインタフェースを提供するためのものである。上記外部のインタフェースモジュールは、キーボードや、クリックホイールや、ボタン等であってもよい。これらのボタンは、ホームボタンや、音量ボタンや、スタートボタンや、ロックボタンであってもよいが、それらに限らない。
【００９３】
センサーユニット１３１４は、装置１３００のために各方面の状態を評価する少なくとも１つのセンサーを備えてもよい。例えば、センサーユニット１３１４は、装置１３００のオン／オフ状態や、ユニットの相対的な位置を検出することができる。例えば、前記ユニットは、装置１３００のディスプレイ及びキーパッドである。センサーユニット１３１４は、装置１３００又は装置１３００の１つのユニットの位置の変化、ユーザによる装置１３００への接触の有無、装置１３００の方向又は加速／減速、装置１３００の温度変化などを検出することができる。センサーユニット１３１４は、何れの物理的な接触もない場合に付近の物体を検出するように配置される近接センサーを有してもよい。センサーユニット１３１４は、イメージングアプリケーションに用いるための光センサー、例えば、ＣＭＯＳ又はＣＣＤ画像センサーを有してもよい。一実施例では、当該センサーユニット１３１４は、加速度センサー、ジャイロスコープセンサー、磁気センサー、圧力センサー又は温度センサーをさらに備えてもよい。
【００９４】
通信ユニット１３１６は、装置１３００と他の設備の間との無線又は有線通信を便利にさせるように配置される。装置１３００は、通信標準に基づく無線ネットワーク、例えば、ＷｉＦｉ、２Ｇ又は３Ｇ、又はそれらの組み合わせにアクセスできる。１つの例示的な実施例では、通信ユニット１３１６は、ブロードキャストチャンネルを介して外部のブロードキャスト管理システムからのブロードキャスト信号又はブロードキャストに関する情報を受信する。１つの例示的な実施例では、前記通信ユニット１３１６は、近距離通信を促進するために近距離無線通信（ＮＦＣ）モジュールをさらに備えてもよい。例えば、ＮＦＣモジュールは、無線周波数認識装置（ＲＦＩＤ：Ｒａｄｉｏ  Ｆｒｅｑｕｅｎｃｙ  ＩＤｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（登録商標）（ＢＴ：Ｂｌｕｅｔｏｏｔｈ（登録商標））技術及び他の技術によって実現されてもよい。
【００９５】
例示的な実施例では、装置１３００は、上述した方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサー（ＤＳＰ：Ｄｉｇｉｔａｌ  Ｓｉｇｎａｌ  Ｐｒｏｃｅｓｓｏｒ）、デジタル信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラマブルロジックデバイス（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサー、又は他の電子機器によって実現されてもよい。
【００９６】
例示的な実施例では、命令を有する非一時的コンピュータ読み取り可能な記録媒体、例えば、命令を有するメモリ１３０４をさらに提供する。前記命令は、装置１３００のプロセッサー１３２０により実行されて上述した方法を実現する。例えば、前記非一時的コンピュータ読み取り可能な記録媒体は、ＲＯＭ、ＲＡＭ、ＣＤ−ＲＯＭ、磁気テープ、フロッピー（登録商標）ディスク及び光データメモリ等であってもよい。
【００９７】
当業者は、明細書に対する理解、及び明細書に記載された発明に対する実施を介して、本発明の他の実施形態を容易に取得できる。本発明は、本発明に対する任意の変形、用途、又は適応的な変化を含み、このような変形、用途、又は適応的な変化は、本発明の一般的な原理に従い、本発明では発明していない本技術分野の公知知識、又は通常の技術手段を含む。明細書及び実施例は、単に例示的なものであって、本発明の本当の範囲と主旨は、以下の特許要求の範囲によって示される。
【００９８】
本発明は、上記で記述され、図面で図示した特定の構成に限定されず、その範囲を離脱しない状況で、様々な修正や変更を実施してもよい。本発明の範囲は、添付される特許要求の範囲のみにより限定される。
【図１】
0006810815.tif 000002
【図２】
0006810815.tif 000003
【図３】
0006810815.tif 000004
【図４】
0006810815.tif 000005
【図５】
0006810815.tif 000006
【図６】
0006810815.tif 000007
【図７】
0006810815.tif 000008
【図８】
0006810815.tif 000009
【図９】
0006810815.tif 000010
【図１０】
0006810815.tif 000011
【図１１】
0006810815.tif 000012
【図１２】
0006810815.tif 000013
【図１３】
0006810815.tif 000014